(57)【要約】【課題】構造物の床面緑化において、荷重負担が小さく、風による培土の飛散や緑化施設の破損の恐れが少なく、維持管理が容易なものとすると共に、植生の多様性を屋上等においても実現する。【解決手段】熔岩３を貼り付けたパネル１を屋上の床面に設置し、屋上の端部には培地５を形成する。培地５は、破砕活性炭に少量の土壌を混合し、破砕活性炭を主体として培地の軽量化を図った。培地５に植生したツタ類は成長して屋上面を這って伸び、屋上面を被覆して緑化する。屋上面を這うように成長するの風の影響が少なく、また、培土面積が緑化面積に比較して小さいので維持管理が容易である。【選択図】図３
2004065123.tif 000002
【特許請求の範囲】
【請求項１】
構造物床面に熔岩を貼り付けたパネルを設置し、苔やセダム類を熔岩上に直接植生する床面緑化方法。
【請求項２】
構造物床面に熔岩を貼り付けたパネルを設置し、苔やセダム類を熔岩上に直接植生すると共に床面の一部に培地を設け、ツタ類を植生して床面にツタ類を這わせる床面緑化方法。
【請求項３】
請求項２において、培地が間隔をあけて設けてある床面緑化方法。
【請求項４】
請求項１〜３のいずれかにおいて、パネル基板がＡＬＣ板である床面緑化方法。
【請求項５】
請求項１〜３のいずれかにおいて、パネル基板が磁気テープを裁断したものを接着剤と混合して圧縮したボードである床面緑化方法。
【発明の詳細な説明】
【０００１】
【発明の属する技術分野】
本発明は、建築構造物のベランダや屋上等の床面に植物を生育させ、都市のヒートアイランド現象を防止する緑化方法に関する。
【０００２】
近年、都市のヒートアイランド化が問題にされ、太陽熱を反射し都市を温暖化する建造物の屋上に植物を生育させて緑化し、太陽熱を吸収することが注目されており、その効果の大きいことが証明されている。
【０００３】
屋上緑化やベランダの緑化は、建物にかかる荷重を軽減することが必要であり、荷重負担は５０〜１００ｋｇ／ｍ２にする必要がある。特に、ベランダの場合は、６０ｋｇ／ｍ２以下にする必要がある。また、緑化施設の排水処理、植物の手入れが必要である。このため、軽量の人工培土を用い、植物として手入れが容易で草丈が小さく、強風に耐えて均一な植生が得られるセダム類を用いた屋上緑化システムが提案されており、セダム類の他に背が低く、水やりの手間があまりない地衣類の利用も試みられている。
【０００４】
【発明が解決しようとする課題】
床面緑化においては、全面を緑化するのが好ましいので、前記のセダム類を使用する例が増大しているが、床面全面がセダム類で被覆されるようにすると、栽培面積が大きくなって培土の重量がかなり大きくなると共に、維持管理の手間がかかる。更に、成長したセダム類の茎が長くなって維持管理が面倒になり、更には長く伸びた茎部分が倒れて枯れて腐り、かえって除去や植え替えの手間がかかるという問題が生じた。
本発明は、床面緑化において、荷重負担が小さく、風による培土の飛散や緑化施設の破損の恐れが少なく、維持管理の容易な床面緑化を実現しようとするものである。
【０００５】
【課題を解決するための手段】
床面に熔岩を貼り付けたパネルを設置し、苔やセダム類を熔岩上に直接植生し、植物が過大に成長するのを抑制し、維持管理を容易にした。
また、屋上等の床面に多孔質岩石を貼り付けたパネルを設置し、床面の一部分を培地としてツタ類を植生して床面に這わせて緑化するもので、ツタ類の成長を管理することで床面全体の緑化を管理することができるようにした。
【０００６】
【実施例】
実施例１
本発明の床面緑化には図１に示す熔岩を貼り付けたパネル１を使用する。パネル１の基板１２は、３０×３０（ｃｍ）のＡＬＣ板であり、熔岩と熔岩３の間には砂または粉砕した熔岩を充填して付着させる。
基板として、磁気テープに接着剤を混合して圧縮してボードにしたものや、ＰＣ板、中空プレキャスト板などを使用する。熔岩３は、適当な形状と大きさにカットして基板１２の表面に接着剤で貼着するか埋め込む。接着剤は耐久性に富むものであれば特に限定されないが、エポキシ系のものが望ましい。
【０００７】
中空プレキャスト板は、セメントと珪砂の混合物を大気圧より低圧下で中空構造に押し出し成形し、オートクレーブ養生して緻密なトバモライト結晶とした押し出し成形板であり、曲げ強度は２〜１５ＭＰａ、透水係数１〜２０×１０−２ｃｍ／秒程度である。
【０００８】
中空部には保水機能を有する詰物を充填する。この詰物は、高吸水性高分子樹脂（例えばデンプン−アクリロニトリルグラフト重合体の加水分解物、セルロース−アクリロニトリルグラフト重合体の加水分解物など）、粘土（モンモリナイト、アロフェインを含有しているもの）、バーミキュライト、真珠岩系のパーライト、焼成珪藻土、スポンジなどが挙げられる。中でも、高吸水性高分子樹脂、粘土、スポンジは保水性が高いので望ましい。
【０００９】
詰物をネット、あるいは透水性の袋で包みカートリッジ化して挿入する。ネットは、ポリプロピレン製などの編み目の小さなものが、また、透水性の袋は、和紙、不織布を用いる。
全ての中空部に詰物を充填せず、中空部の一部を空間のままにしておくなど詰物の充填量や充填形態は設置場所の条件に応じて適宜変更する。
【００１０】
このパネル１を図２に示すように、屋上やベランダの床面に敷き詰めた木製またはプラスチック製の３０×３０（ｃｍ）の簀の子状のデッキ１０の上に設置する。パネル１の基板の厚みが異なるものを用い、植栽面が凹凸になるようにしたり、一方向に順に高くなるように基板を選択すると、階段状の植栽面を形成することができる。
【００１１】
次に、熔岩３または熔岩の間に充填した砂または熔岩の粉砕物に直接苔やセダム類を植えつける。苔やセダム類は乾燥に強い植物であり、熔岩３は多孔質で保水性が高く、また、ＡＬＣ板は保水性が高いので、一度の散水で湿潤状態に維持され、セダム類が根付くことができる。更に、肥料分が少ないので、大きく成長することがなく、伸びた茎が倒れたりして枯れることが殆どなくなり、維持管理が楽になる。
必要に応じて、パネル１とパネル１に跨るように、熔岩、小石、レンガなどを配置することによりパネル１の連接部分の隙間を覆い隠すことができる。
また、床全面にパネルを設置せず、一区画をレンガ等で仕切り、防水シートを設置して軽量土壌をいれて花壇を形成し、セダム類だけなく、花を植栽する。
【００１２】
実施例２
図３に示すように、屋上の片側に培地５となる容器５０を設置し、土壌や人工土壌、保湿材を適宜混合して充填する。
屋上の床面には、図１に示す熔岩３を貼り付けたパネル１を屋上面に設置した受け台１１または実施例１と同様にデッキの上に敷き詰める。熔岩３は水分を吸収し、湿潤状態を保持し易いので、苔などの植物が生育し易い。熔岩の凹凸部に微生物が付着し、水の浄化作用を期待でき、雨水を浄化してより生態系に好ましい自然環境を得ることができる。
【００１３】
培地５は、破砕活性炭に少量の土壌を混合し、破砕活性炭を主体として培地の軽量化を図った。破砕活性炭は培地のＰＨ値を植物にとって好ましい値に維持し、植物の生育に重要な役割りを果たす共生有効菌類の増殖を促進して植物の強健な生育を助長させると共に、通常の土壌に比し水分の保持性が大であるので散水の回数が少なくて済むという利点がある。
【００１４】
その他、培土としては、ヤシガラ圧縮顆粒、ピートモス圧縮物等、安価で軽量かつ吸水性が良好な培土を適宜使用する。更に培土にカルボキシメチルセルロース架橋物、でんぷん−アクリロニトリルグラフト共重合体、ポリビニルアルコール、ポリアクリル酸塩、Ｎ−イソプロピルアクリルアミドとアクリル酸ナトリウムとの共重合体等の保湿材を混合する。
【００１５】
培地の容器５０は、ココヤシ材やプラスチック製であり、培地を１５〜４０ｃｍの深さとする。底部には排水孔を設けず、側板に直径１．５ｃｍの排水穴が形成してある。
この培地にツタ類としてアマミヅタ４を植え込んである。ツタ類はイタビカズラ、オオイタビ、キヅタ、ナツヅタなど種類を選ばず使用することができる。
【００１６】
パネル１の熔岩の間には苔４１やセダム類４２を植栽する。セダム類の具体例は、メキシコマンネングサ、ツルマンネングサ、キリンソウ、ホソバノキリンソウ、エゾノキリンソウ、ヒメキリンソウ、タカネマンネングサ、ヤハズマンネングサ、ヒメレンゲ、マルバマンネングサ、サツママンネングサ、ハママンネングサ、ナガサキマンネングサ、コモチマンネングサ、メノマンネングサ、タイトゴメ、ムニンタイトゴメ、コゴメマンネングサ、ウンゼンマンネングサ、オオメノマンネングサ、マツノハマンネングサ、オノマンネングサ、ハコベマンネングサ、ウスユキマンネングサ等である。
【００１７】
培地５に植えられたツタ類４は成長して屋上面を這って屋上全面を被覆するので、屋上全面が緑化される。
また、苔４１やセダム類４２などをパネル１の熔岩３と熔岩３の間に生育させ、屋上に多様性のある生態系を形成し、植物のみでなく小動物の棲息を可能とする。
【００１８】
図４に示す例は、培地５を屋上の両端部に形成したものである。培地は、屋上の端部だけでなく中間部に設置してもよく、維持管理の手間を考慮して培地の配列や個数を決定する。
培地５は間隔をおいて散在させるレイアウトも可能である。
【発明の効果】
床面緑化において、熔岩を貼り付けたパネルを床面に設置するだけでセダム類や苔を生育させることができ、熔岩やパネルの保水性によって維持管理を容易とした。成長したセダム類の茎が長くなりすぎるということがなく、茎部分が倒れて枯れて腐るということを防止できる。
熔岩を貼り付けたパネルを設置するだけでよいので、レイアウトの変更が容易であり、予備のパネルにセダム類を生育しておくことによって緑化された新しいパネルと直ぐに交換することができ、床面の緑化を常に維持することができる。
ツタ類の成長の制御を床面の一部分である培地への施肥量や散水量を制御することによっておこなうことにより、従来に比較して維持管理の手間が大幅に簡略された。また、ツタ類は、屋上面を這うように成長するので風の影響が少ない。
ツタで覆われた部分は直射日光が遮られ、地衣類、苔が生育し易くなり、熔岩やパネル基板に保水された水分があるので、苔等が自然に生育する。
屋上の大部分は熔岩を貼り付けたパネルで被覆されており、吸湿した水分の蒸発熱によって、建造物の温度上昇が抑止され、また、土壌部分が少ないので、建造物への荷重負担が小さく、風によって土壌が飛散することが少ない。
更に、セダム類等の植物や苔を熔岩の間の砂部分で生育させ、多様な植物を屋上において生育させることができ、昆虫等の小動物が棲息することができる。
【図面の簡単な説明】
【図１】熔岩を貼り付けたパネルの斜視図。
【図２】ベランダの床面緑化の概念図。
【図３】屋上の床面緑化の実施例の概念図。
【図４】屋上の床面緑化の他の実施例の概念図。
【符号の説明】
１　　パネル
１０　デッキ
３　　熔岩
４　　ツタ
５　　培地
【図１】
2004065123.tif 000003
【図２】
2004065123.tif 000004
【図３】
2004065123.tif 000005
【図４】
2004065123.tif 000006